(57)【特許請求の範囲】
【請求項１】
撮像光学レンズであって、
物体側から像側へ順に、正の屈折力を有する第１レンズと、負の屈折力を有する第２レンズと、第３レンズと、第４レンズと、正の屈折力を有する第５レンズと、負の屈折力を有する第６レンズとによって構成され、
前記第１レンズの軸上厚みをｄ１、前記第１レンズの像側面から前記第２レンズの物体側面までの軸上距離をｄ２、前記第２レンズの軸上厚みをｄ３、前記第５レンズの軸上厚みをｄ９、前記第５レンズの像側面から前記第６レンズの物体側面までの軸上距離をｄ１０、前記第６レンズの軸上厚みをｄ１１、前記第５レンズの物体側面の曲率半径をＲ９、前記第６レンズの物体側面の曲率半径をＲ１１としたときに、以下の条件式（１）〜（３）を満たすことを特徴とする撮像光学レンズ。
３．００≦（ｄ１＋ｄ２）／ｄ３≦４．００  （１）
１．５０≦（ｄ９＋ｄ１０）／ｄ１１≦３．００  （２）
−５．００≦Ｒ９／Ｒ１１≦−４．６０  （３）
【請求項２】
前記第１レンズは、その物体側面が近軸において凸面であり、その像側面が近軸において凹面であり、
前記撮像光学レンズの焦点距離をｆ、前記第１レンズの焦点距離をｆ１、前記第１レンズの物体側面の曲率半径をＲ１、前記第１レンズの像側面の曲率半径をＲ２、前記撮像光学レンズの光学長をＴＴＬとしたときに、以下の条件式（４）〜（６）を満たすことを特徴とする請求項１に記載の撮像光学レンズ。
０．４０≦ｆ１／ｆ≦１．２３  （４）
−３．４５≦(Ｒ１＋Ｒ２)／(Ｒ１−Ｒ２)≦−１．１１  （５）
０．０７≦ｄ１／ＴＴＬ≦０．２１  （６）
【請求項３】
以下の条件式（７）〜（９）を満たすことを特徴とする請求項２に記載の撮像光学レンズ。
０．６５≦ｆ１／ｆ≦０．９８  （７）
−２．１６≦(Ｒ１＋Ｒ２)／(Ｒ１−Ｒ２)≦−１．３９  （８）
０．１１≦ｄ１／ＴＴＬ≦０．１６  （９）
【請求項４】
前記第２レンズは、その物体側面が近軸において凸面であり、その像側面が近軸において凹面であり、
前記撮像光学レンズの焦点距離をｆ、前記第２レンズの焦点距離をｆ２、前記第２レンズの物体側面の曲率半径をＲ３、前記第２レンズの像側面の曲率半径をＲ４、前記撮像光学レンズの光学長をＴＴＬとしたときに、以下の条件式（１０）〜（１２）を満たすことを特徴とする請求項１に記載の撮像光学レンズ。
−４．２６≦ｆ２／ｆ≦−１．３０  （１０）
１．７０≦(Ｒ３＋Ｒ４)／(Ｒ３−Ｒ４)≦５．５０  （１１）
０．０２≦ｄ３／ＴＴＬ≦０．０７  （１２）
【請求項５】
以下の条件式（１３）〜（１５）を満たすことを特徴とする請求項４に記載の撮像光学レンズ。
−２．６６≦ｆ２／ｆ≦−１．６２  （１３）
２．７２≦(Ｒ３＋Ｒ４)／(Ｒ３−Ｒ４)≦４．４０  （１４）
０．０３≦ｄ３／ＴＴＬ≦０．０６  （１５）
【請求項６】
前記第３レンズは、その物体側面が近軸において凸面であり、その像側面が近軸において凹面であり、
前記撮像光学レンズの焦点距離をｆ、前記第３レンズの焦点距離をｆ３、前記第３レンズの物体側面の曲率半径をＲ５、前記第３レンズの像側面の曲率半径をＲ６、前記第３レンズの軸上厚みをｄ５、前記撮像光学レンズの光学長をＴＴＬとしたときに、以下の条件式（１６）〜（１８）を満たすことを特徴とする請求項１に記載の撮像光学レンズ。
−５１．１０≦ｆ３／ｆ≦５３．８１  （１６）
−４０．２６≦(Ｒ５＋Ｒ６)／(Ｒ５−Ｒ６)≦１５．７８  （１７）
０．０３≦ｄ５／ＴＴＬ≦０．０９  （１８）
【請求項７】
以下の条件式（１９）〜（２１）を満たすことを特徴とする請求項６に記載の撮像光学レンズ。
−３１．９４≦ｆ３／ｆ≦４３．０５  （１９）
−２５．１６≦(Ｒ５＋Ｒ６)／(Ｒ５−Ｒ６)≦１２．６２  （２０）
０．０５≦ｄ５／ＴＴＬ≦０．０７  （２１）
【請求項８】
前記撮像光学レンズの焦点距離をｆ、前記第４レンズの焦点距離をｆ４、前記第４レンズの物体側面の曲率半径をＲ７、前記第４レンズの像側面の曲率半径をＲ８、前記第４レンズの軸上厚みをｄ７、前記撮像光学レンズの光学長をＴＴＬとしたときに、以下の条件式（２２）〜（２４）を満たすことを特徴とする請求項１に記載の撮像光学レンズ。
−７５．７２≦ｆ４／ｆ≦２７３．９０  （２２）
−６．４１≦(Ｒ７＋Ｒ８)／(Ｒ７−Ｒ８)≦４１．８５  （２３）
０．０３≦ｄ７／ＴＴＬ≦０．０９  （２４）
【請求項９】
以下の条件式（２５）〜（２７）を満たすことを特徴とする請求項８に記載の撮像光学レンズ。
−４７．３２≦ｆ４／ｆ≦２１９．１２  （２５）
−４．０１≦(Ｒ７＋Ｒ８)／(Ｒ７−Ｒ８)≦３３．４８  （２６）
０．０５≦ｄ７／ＴＴＬ≦０．０７  （２７）
【請求項１０】
前記第５レンズは、その物体側面が近軸において凹面であり、その像側面が近軸において凸面であり、
前記撮像光学レンズの焦点距離をｆ、前記第５レンズの焦点距離をｆ５、前記第５レンズの像側面の曲率半径をＲ１０、前記撮像光学レンズの光学長をＴＴＬとしたときに、以下の条件式（２８）〜（３０）を満たすことを特徴とする請求項１に記載の撮像光学レンズ。
０．７４≦ｆ５／ｆ≦２．８４  （２８）
０．７１≦(Ｒ９＋Ｒ１０)／(Ｒ９−Ｒ１０)≦２．３９  （２９）
０．０６≦ｄ９／ＴＴＬ≦０．２４  （３０）
【請求項１１】
以下の条件式（３１）〜（３３）を満たすことを特徴とする請求項１０に記載の撮像光学レンズ。
１．１９≦ｆ５／ｆ≦２．２７  （３１）
１．１３≦(Ｒ９＋Ｒ１０)／(Ｒ９−Ｒ１０)≦１．９１  （３２）
０．１０≦ｄ９／ＴＴＬ≦０．１９  （３３）
【請求項１２】
前記第６レンズは、その物体側面が近軸において凸面であり、その像側面が近軸において凹面であり、
前記撮像光学レンズの焦点距離をｆ、前記第６レンズの焦点距離をｆ６、前記第６レンズの像側面の曲率半径をＲ１２、前記撮像光学レンズの光学長をＴＴＬとしたときに、以下の条件式（３４）〜（３６）を満たすことを特徴とする請求項１に記載の撮像光学レンズ。
−２．４３≦ｆ６／ｆ≦−０．６４  （３４）
１．０９≦(Ｒ１１＋Ｒ１２)／(Ｒ１１−Ｒ１２)≦３．６９  （３５）
０．０５≦ｄ１１／ＴＴＬ≦０．２２  （３６）
【請求項１３】
以下の条件式（３７）〜（３９）を満たすことを特徴とする請求項１２に記載の撮像光学レンズ。
−１．５２≦ｆ６／ｆ≦−０．８１  （３７）
１．７５≦(Ｒ１１＋Ｒ１２)／(Ｒ１１−Ｒ１２)≦２．９５  （３８）
０．０７≦ｄ１１／ＴＴＬ≦０．１７  （３９）
【請求項１４】
前記撮像光学レンズの焦点距離をｆ、前記第１レンズと前記第２レンズとの合成焦点距離をｆ１２としたときに、以下の条件式（４０）を満たすことを特徴とする請求項１に記載の撮像光学レンズ。
０．５７≦ｆ１２／ｆ≦１．７３  （４０）
【請求項１５】
以下の条件式（４１）を満たすことを特徴とする請求項１４に記載の撮像光学レンズ。
０．９１≦ｆ１２／ｆ≦１．３８  （４１）
【請求項１６】
前記撮像光学レンズの光学長ＴＴＬは、７．１５ｍｍ以下であることを特徴とする請求項１に記載の撮像光学レンズ。
【請求項１７】
前記撮像光学レンズの光学長ＴＴＬは、６．８２ｍｍ以下であることを特徴とする請求項１６に記載の撮像光学レンズ。
【請求項１８】
前記撮像光学レンズの絞り値ＦＮＯは、１．９９以下であることを特徴とする請求項１に記載の撮像光学レンズ。
【請求項１９】
前記撮像光学レンズの絞り値ＦＮＯは、１．９５以下であることを特徴とする請求項１８に記載の撮像光学レンズ。
【発明の詳細な説明】
【技術分野】
【０００１】
本発明は、光学レンズ分野に関し、特にスマートフォン、デジタルカメラなどの携帯端末装置と、モニタ、ＰＣレンズなどの撮像装置とに適用される撮像光学レンズに関する。
【背景技術】
【０００２】
近年、スマートフォンの登場に伴い、小型化の撮像レンズに対する需要がますます高まっているが、撮像レンズの感光素子は、一般的に、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｕｃｔｏｒ  Ｓｅｎｓｏｒ、ＣＭＯＳ  Ｓｅｎｓｏｒ）の２種類のみに大別される。また、半導体製造プロセスの技術の進歩により、感光素子の画素サイズが縮小可能であるとともに、現在の電子製品は、優れた機能および軽量化・薄型化・小型化の外観を発展の傾向とする。そのため、良好な結像品質を有する小型化の撮像レンズは、現在の市場において既に主流となっている。
【０００３】
優れた結像品質を得るために、携帯電話のカメラに搭載された従来のレンズは、３枚式又は４枚式のレンズ構造を用いることが多い。また、技術の発展及びユーザの多様化のニーズの増加に伴い、感光素子の画素面積が縮小しつつあり且つ結像品質に対するシステムからの要求が高くなってきている場合には、５枚式、６枚式のレンズ構造が徐々にレンズの設計に現れている。よく見られる６枚式のレンズは、良好な光学性能を有しているが、その屈折力、レンズ間隔、およびレンズ形状の設定には依然としてある程度の非合理性があるため、レンズ構造は、高い光学性能を得ると共に、大口径、広角化及び極薄化の設計要求を満たすことができない。
【発明の概要】
【発明が解決しようとする課題】
【０００４】
本発明は、上記問題に鑑みてなされたものであり、優れた光学性能を有するとともに、大口径、広角化及び極薄化の設計要求を満たすことができる撮像光学レンズを提供することを目的とする。
【課題を解決するための手段】
【０００５】
上記問題を解決するために、本発明の実施形態は、撮像光学レンズを提供する。前記撮像光学レンズは、物体側から像側へ順に、正の屈折力を有する第１レンズと、負の屈折力を有する第２レンズと、第３レンズと、第４レンズと、正の屈折力を有する第５レンズと、負の屈折力を有する第６レンズとによって構成され、
前記第１レンズの軸上厚みをｄ１、前記第１レンズの像側面から前記第２レンズの物体側面までの軸上距離をｄ２、前記第２レンズの軸上厚みをｄ３、前記第５レンズの軸上厚みをｄ９、前記第５レンズの像側面から前記第６レンズの物体側面までの軸上距離をｄ１０、前記第６レンズの軸上厚みをｄ１１、前記第５レンズの物体側面の曲率半径をＲ９、前記第６レンズの物体側面の曲率半径をＲ１１としたときに、以下の条件式（１）〜（３）を満たす。
３．００≦（ｄ１＋ｄ２）／ｄ３≦４．００  （１）
１．５０≦（ｄ９＋ｄ１０）／ｄ１１≦３．００  （２）
−５．００≦Ｒ９／Ｒ１１≦−４．６０  （３）
【０００６】
好ましくは、前記第１レンズは、その物体側面が近軸において凸面であり、その像側面が近軸において凹面であり、
前記撮像光学レンズの焦点距離をｆ、前記第１レンズの焦点距離をｆ１、前記第１レンズの物体側面の曲率半径をＲ１、前記第１レンズの像側面の曲率半径をＲ２、前記撮像光学レンズの光学長をＴＴＬとしたときに、以下の条件式（４）〜（６）を満たす。
０．４０≦ｆ１／ｆ≦１．２３  （４）
−３．４５≦(Ｒ１＋Ｒ２)／(Ｒ１−Ｒ２)≦−１．１１  （５）
０．０７≦ｄ１／ＴＴＬ≦０．２１  （６）
【０００７】
好ましくは、前記撮像光学レンズは、以下の条件式（７）〜（９）を満たす。
０．６５≦ｆ１／ｆ≦０．９８  （７）
−２．１６≦(Ｒ１＋Ｒ２)／(Ｒ１−Ｒ２)≦−１．３９  （８）
０．１１≦ｄ１／ＴＴＬ≦０．１６  （９）
【０００８】
好ましくは、前記第２レンズは、その物体側面が近軸において凸面であり、その像側面が近軸において凹面であり、
前記撮像光学レンズの焦点距離をｆ、前記第２レンズの焦点距離をｆ２、前記第２レンズの物体側面の曲率半径をＲ３、前記第２レンズの像側面の曲率半径をＲ４、前記撮像光学レンズの光学長をＴＴＬとしたときに、以下の条件式（１０）〜（１２）を満たす。
−４．２６≦ｆ２／ｆ≦−１．３０  （１０）
１．７０≦(Ｒ３＋Ｒ４)／(Ｒ３−Ｒ４)≦５．５０  （１１）
０．０２≦ｄ３／ＴＴＬ≦０．０７  （１２）
【０００９】
好ましくは、前記撮像光学レンズは、以下の条件式（１３）〜（１５）を満たす。
−２．６６≦ｆ２／ｆ≦−１．６２  （１３）
２．７２≦(Ｒ３＋Ｒ４)／(Ｒ３−Ｒ４)≦４．４０  （１４）
０．０３≦ｄ３／ＴＴＬ≦０．０６  （１５）
【００１０】
好ましくは、前記第３レンズは、その物体側面が近軸において凸面であり、その像側面が近軸において凹面であり、
前記撮像光学レンズの焦点距離をｆ、前記第３レンズの焦点距離をｆ３、前記第３レンズの物体側面の曲率半径をＲ５、前記第３レンズの像側面の曲率半径をＲ６、前記第３レンズの軸上厚みをｄ５、前記撮像光学レンズの光学長をＴＴＬとしたときに、以下の条件式（１６）〜（１８）を満たす。
−５１．１０≦ｆ３／ｆ≦５３．８１  （１６）
−４０．２６≦(Ｒ５＋Ｒ６)／(Ｒ５−Ｒ６)≦１５．７８  （１７）
０．０３≦ｄ５／ＴＴＬ≦０．０９  （１８）
【００１１】
好ましくは、前記撮像光学レンズは、以下の条件式（１９）〜（２１）を満たす。
−３１．９４≦ｆ３／ｆ≦４３．０５  （１９）
−２５．１６≦(Ｒ５＋Ｒ６)／(Ｒ５−Ｒ６)≦１２．６２  （２０）
０．０５≦ｄ５／ＴＴＬ≦０．０７  （２１）
【００１２】
好ましくは、前記撮像光学レンズの焦点距離をｆ、前記第４レンズの焦点距離をｆ４、前記第４レンズの物体側面の曲率半径をＲ７、前記第４レンズの像側面の曲率半径をＲ８、前記第４レンズの軸上厚みをｄ７、前記撮像光学レンズの光学長をＴＴＬとしたときに、以下の条件式（２２）〜（２４）を満たす。
−７５．７２≦ｆ４／ｆ≦２７３．９０  （２２）
−６．４１≦(Ｒ７＋Ｒ８)／(Ｒ７−Ｒ８)≦４１．８５  （２３）
０．０３≦ｄ７／ＴＴＬ≦０．０９  （２４）
【００１３】
好ましくは、前記撮像光学レンズは、以下の条件式（２５）〜（２７）を満たす。
−４７．３２≦ｆ４／ｆ≦２１９．１２  （２５）
−４．０１≦(Ｒ７＋Ｒ８)／(Ｒ７−Ｒ８)≦３３．４８  （２６）
０．０５≦ｄ７／ＴＴＬ≦０．０７  （２７）
【００１４】
好ましくは、前記第５レンズは、その物体側面が近軸において凹面であり、その像側面が近軸において凸面であり、
前記撮像光学レンズの焦点距離をｆ、前記第５レンズの焦点距離をｆ５、前記第５レンズの像側面の曲率半径をＲ１０、前記撮像光学レンズの光学長をＴＴＬとしたときに、以下の条件式（２８）〜（３０）を満たす。
０．７４≦ｆ５／ｆ≦２．８４  （２８）
０．７１≦(Ｒ９＋Ｒ１０)／(Ｒ９−Ｒ１０)≦２．３９  （２９）
０．０６≦ｄ９／ＴＴＬ≦０．２４  （３０）
【００１５】
好ましくは、前記撮像光学レンズは、以下の条件式（３１）〜（３３）を満たす。
１．１９≦ｆ５／ｆ≦２．２７  （３１）
１．１３≦(Ｒ９＋Ｒ１０)／(Ｒ９−Ｒ１０)≦１．９１  （３２）
０．１０≦ｄ９／ＴＴＬ≦０．１９  （３３）
【００１６】
好ましくは、前記第６レンズは、その物体側面が近軸において凸面であり、その像側面が近軸において凹面であり、
前記撮像光学レンズの焦点距離をｆ、前記第６レンズの焦点距離をｆ６、前記第６レンズの像側面の曲率半径をＲ１２、前記撮像光学レンズの光学長をＴＴＬとしたときに、以下の条件式（３４）〜（３６）を満たす。
−２．４３≦ｆ６／ｆ≦−０．６４  （３４）
１．０９≦(Ｒ１１＋Ｒ１２)／(Ｒ１１−Ｒ１２)≦３．６９  （３５）
０．０５≦ｄ１１／ＴＴＬ≦０．２２  （３６）
【００１７】
好ましくは、前記撮像光学レンズは、以下の条件式（３７）〜（３９）を満たす。
−１．５２≦ｆ６／ｆ≦−０．８１  （３７）
１．７５≦(Ｒ１１＋Ｒ１２)／(Ｒ１１−Ｒ１２)≦２．９５  （３８）
０．０７≦ｄ１１／ＴＴＬ≦０．１７  （３９）
【００１８】
好ましくは、前記撮像光学レンズの焦点距離をｆ、前記第１レンズと前記第２レンズとの合成焦点距離をｆ１２としたときに、以下の条件式（４０）を満たす。
０．５７≦ｆ１２／ｆ≦１．７３  （４０）
【００１９】
好ましくは、前記撮像光学レンズは、以下の条件式（４１）を満たす。
０．９１≦ｆ１２／ｆ≦１．３８  （４１）
【００２０】
好ましくは、前記撮像光学レンズの光学長ＴＴＬは、７．１５ｍｍ以下である。
【００２１】
好ましくは、前記撮像光学レンズの光学長ＴＴＬは、６．８２ｍｍ以下である。
【００２２】
好ましくは、前記撮像光学レンズの絞り値ＦＮＯは、１．９９以下である。
【００２３】
好ましくは、前記撮像光学レンズの絞り値ＦＮＯは、１．９５以下である。
【発明の効果】
【００２４】
本発明は、下記の有利な作用効果を有する。本発明に係る撮像光学レンズは、優れた光学特性を有し、大口径、広角化及び極薄化の特性を有するものであり、特に高画素用のＣＣＤ、ＣＭＯＳなどの撮像素子により構成された携帯電話の撮像レンズユニットとＷＥＢ撮像レンズに適用することができる。
【図面の簡単な説明】
【００２５】
本発明の実施例における技術案をより明瞭に説明するために、以下、実施例の記述に使用される必要な図面を簡単に紹介する。明らかに、以下に記載される図面は、本発明の一部の実施例に過ぎず、当業者にとって、創造的労力をかけない前提で、これらの図面から他の図面を得ることができる。
【図１】本発明の第１実施形態に係る撮像光学レンズの構造を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの像面湾曲及び歪曲収差を示す模式図である。
【図５】本発明の第２実施形態に係る撮像光学レンズの構造を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの像面湾曲及び歪曲収差を示す模式図である。
【図９】本発明の第３実施形態の撮像光学レンズの構造を示す模式図である。
【図１０】図９に示す撮像光学レンズの軸上色収差を示す模式図である。
【図１１】図９に示す撮像光学レンズの倍率色収差を示す模式図である。
【図１２】図９に示す撮像光学レンズの像面湾曲および歪曲収差を示す模式図である。
【発明を実施するための形態】
【００２６】
本発明の目的、解決手段およびメリットがより明瞭になるように、以下では、図面を参照しながら本発明の各実施形態を詳細に説明する。本発明の各実施形態において本発明をより良好に理解するために多くの技術的詳細を述べることは、当業者に理解され得る。しかし、これらの技術的詳細および以下の各実施形態に基づく様々な変更および修正がなくても、本発明が保護請求する技術案も実現できる。
【００２７】
（第１実施形態）
図面を参照すると、本発明は、撮像光学レンズ１０を提供する。図１は、本発明の第１実施形態の撮像光学レンズ１０を示す。当該撮像光学レンズ１０は、６枚のレンズを備える。具体的に、前記撮像光学レンズ１０は、物体側から像側にかけて、順次に絞りＳ１、第１レンズＬ１、第２レンズＬ２、第３レンズＬ３、第４レンズＬ４、第５レンズＬ５および第６レンズＬ６からなる。第６レンズＬ６と像面Ｓｉとの間に光学フィルタ（ｆｉｌｔｅｒ）ＧＦなどの光学素子が設けられてもよい。
【００２８】
本実施形態において、第１レンズＬ１が正の屈折力を有し、第２レンズＬ２が負の屈折力を有し、第３レンズＬ３が負の屈折力を有し、第４レンズＬ４が正の屈折力を有し、第５レンズＬ５が正の屈折力を有し、第６レンズＬ６が負の屈折力を有する。
【００２９】
本実施形態において、第１レンズＬ１がプラスチック材質であり、第２レンズＬ２がプラスチック材質であり、第３レンズＬ３がプラスチック材質であり、第４レンズＬ４がプラスチック材質であり、第５レンズＬ５がプラスチック材質であり、第６レンズＬ６がプラスチック材質である。
【００３０】
第１レンズＬ１の軸上厚みをｄ１、第１レンズＬ１の像側面から第２レンズＬ２の物体側面までの軸上距離をｄ２、第２レンズＬ２の軸上厚みをｄ３として定義すると、条件式３．００≦（ｄ１＋ｄ２）／ｄ３≦４．００を満たす。この条件式で規定された範囲内では、第２レンズＬ２の偏心に対する撮像光学レンズ１０の感度を低減することができる。
【００３１】
第５レンズＬ５の軸上厚みをｄ９、第５レンズＬ５の像側面から第６レンズＬ６の物体側面までの軸上距離をｄ１０、第６レンズＬ６の軸上厚みをｄ１１として定義すると、条件式１．５０≦（ｄ９＋ｄ１０）／ｄ１１≦３．００を満たす。この条件式で規定された範囲内では、第６レンズＬ６の偏心に対する撮像光学レンズ１０の感度を低減することができる。
【００３２】
第５レンズＬ５の物体側面の曲率半径をＲ９、第６レンズＬ６の物体側面の曲率半径をＲ１１として定義すると、条件式−５．００≦Ｒ９／Ｒ１１≦−４．６０を満たす。第５レンズの物体側面の曲率半径と第６レンズの物体側面の曲率半径との比を規定することによって、第５レンズの形態が過度に曲がることを防止することができ、第５レンズの加工成型の作業性の向上に有利であり、また、光学結像システムの収差の低減にも有利である。
【００３３】
本発明の撮像光学レンズ１０の関連するレンズの軸上厚み、関連するレンズの間の距離、および関連するレンズの側面の曲率半径が上記条件式を満たす場合に、撮像光学レンズ１０は、高性能を有することができる。
【００３４】
本実施形態において、第１レンズＬ１は、その物体側面が近軸において凸面であり、その像側面が近軸において凹面である。
【００３５】
撮像光学レンズ１０の焦点距離をｆ、前記第１レンズＬ１の焦点距離をｆ１として定義すると、条件式０．４０≦ｆ１／ｆ≦１．２３を満たす。この条件式は、第１レンズＬ１の焦点距離ｆ１とシステム全体の焦点距離ｆの比を規定するものである。規定された範囲内では、第１レンズＬ１が適切な正の屈折力を有するものとなり、システムの収差の低減に有利であるとともに、レンズの極薄化及び広角化に有利である。好ましくは、条件式０．６５≦ｆ１／ｆ≦０．９８を満たす。
【００３６】
第１レンズＬ１の物体側面の曲率半径をＲ１、第１レンズＬ１の像側面の曲率半径をＲ２として定義すると、条件式−３．４５≦(Ｒ１＋Ｒ２)／(Ｒ１−Ｒ２)≦−１．１１を満たす。第１レンズの形状を合理的に規定することにより、第１レンズによってシステムの球面収差を効果的に補正可能である。好ましくは、条件式−２．１６≦(Ｒ１＋Ｒ２)／(Ｒ１−Ｒ２)≦−１．３９を満たす。
【００３７】
第１レンズＬ１の軸上厚みをｄ１、撮像光学レンズ１０の光学長をＴＴＬとして定義すると、条件式０．０７≦ｄ１／ＴＴＬ≦０．２１を満たす。条件式の範囲内では、極薄化を図ることに有利である。好ましくは、条件式０．１１≦ｄ１／ＴＴＬ≦０．１６を満たす。
【００３８】
本実施形態において、第２レンズＬ２は、その物体側面が近軸において凸面であり、その像側面が近軸において凹面である。
【００３９】
撮像光学レンズの焦点距離をｆ、第２レンズＬ２の焦点距離をｆ２として定義すると、条件式−４．２６≦ｆ２／ｆ≦−１．３０を満たす。第２レンズＬ２の負屈折力を合理的な範囲に規定することにより、光学システムの収差の補正に有利である。好ましくは、条件式−２．６６≦ｆ２／ｆ≦−１．６２を満たす。
【００４０】
第２レンズＬ２の物体側面の曲率半径をＲ３、第２レンズＬ２の像側面の曲率半径をＲ４として定義すると、条件式１．７０≦(Ｒ３＋Ｒ４)／(Ｒ３−Ｒ４)≦５．５０を満たす。この条件式は、第２レンズＬ２の形状を規定するものである。この範囲内では、レンズの極薄広角化が進行するにつれて、軸上色収差の補正に有利である。好ましくは、条件式２．７２≦(Ｒ３＋Ｒ４)／(Ｒ３−Ｒ４)≦４．４０を満たす。
【００４１】
第２レンズＬ２の軸上厚みをｄ３、撮像光学レンズ１０の光学長をＴＴＬとして定義すると、条件式０．０２≦ｄ３／ＴＴＬ≦０．０７を満たす。条件式の範囲内では、極薄化を図ることに有利である。好ましくは、条件式０．０３≦ｄ３／ＴＴＬ≦０．０６を満たす。
【００４２】
本実施形態において、第３レンズＬ３は、その物体側面が近軸において凸面であり、その像側面が近軸において凹面である。
【００４３】
撮像光学レンズ１０の焦点距離をｆ、第３レンズＬ３の焦点距離をｆ３として定義すると、条件式−５１．１０≦ｆ３／ｆ≦５３．８１を満たす。屈折力の合理的な配分により、システムが優れた結像品質及び低い感度を有する。好ましくは、条件式−３１．９４≦ｆ３／ｆ≦４３．０５を満たす。
【００４４】
第３レンズＬ３の物体側面の曲率半径をＲ５、第３レンズＬ３の像側面の曲率半径をＲ６として定義すると、条件式−４０．２６≦(Ｒ５＋Ｒ６)／(Ｒ５−Ｒ６)≦１５．７８を満たす。第３レンズＬ３の形状を効果的に規定することによって、第３レンズＬ３の成型に有利であると共に、第３レンズＬ３の表面の過大の曲率に起因する成型不良および応力の発生を回避することができる。好ましくは、条件式−２５．１６≦(Ｒ５＋Ｒ６)／(Ｒ５−Ｒ６)≦１２．６２を満たす。
【００４５】
第３レンズＬ３の軸上厚みをｄ５、撮像光学レンズ１０の光学長をＴＴＬとして定義すると、条件式０．０３≦ｄ５／ＴＴＬ≦０．０９を満たす。条件式の範囲内では、極薄化を図ることに有利である。好ましくは、条件式０．０５≦ｄ５／ＴＴＬ≦０．０７を満たす。
【００４６】
本実施形態において、第４レンズＬ４は、その物体側面が近軸において凹面であり、その像側面が近軸において凸面である。
【００４７】
撮像光学レンズ１０の焦点距離をｆ、第４レンズＬ４の焦点距離をｆ４として定義すると、条件式−７５．７２≦ｆ４／ｆ≦２７３．９０を満たす。屈折力の合理的な配分により、システムが優れた結像品質及び低い感度を有する。好ましくは、条件式−４７．３２≦ｆ４／ｆ≦２１９．１２を満たす。
【００４８】
第４レンズＬ４の物体側面の曲率半径をＲ７、第４レンズＬ４の像側面の曲率半径をＲ８として定義すると、条件式−６．４１≦(Ｒ７＋Ｒ８)／(Ｒ７−Ｒ８)≦４１．８５を満たす。この条件式は、第４レンズＬ４の形状を規定するものである。この範囲内では、レンズの極薄広角化が進行するにつれて、軸外画角の収差などの補正に有利である。好ましくは、条件式−４．０１≦(Ｒ７＋Ｒ８)／(Ｒ７−Ｒ８)≦３３．４８を満たす。
【００４９】
撮像光学レンズ１０の光学長をＴＴＬ、第４レンズＬ４の軸上厚みをｄ７として定義すると、条件式０．０３≦ｄ７／ＴＴＬ≦０．０９を満たす。条件式の範囲内では、極薄化を図ることに有利である。好ましくは、条件式０．０５≦ｄ７／ＴＴＬ≦０．０７を満たす。
【００５０】
本実施形態において、第５レンズＬ５は、その物体側面が近軸において凹面であり、その像側面が近軸において凸面である。
【００５１】
撮像光学レンズ１０の焦点距離をｆ、第５レンズＬ５の焦点距離をｆ５として定義すると、条件式０．７４≦ｆ５／ｆ≦２．８４を満たす。第５レンズＬ５を限定することによって、撮像レンズの光線角度を効果的に緩やかにさせ、公差感度を低減することができる。好ましくは、条件式１．１９≦ｆ５／ｆ≦２．２７を満たす。
【００５２】
第５レンズＬ５の物体側面の曲率半径をＲ９、第５レンズＬ５の像側面の曲率半径をＲ１０として定義すると、条件式０．７１≦(Ｒ９＋Ｒ１０)／(Ｒ９−Ｒ１０)≦２．３９を満たす。この条件式は、第５レンズＬ５の形状を規定するものである。この範囲内では、レンズの極薄広角化が進行するにつれて、軸外画角の収差などの補正に有利である。好ましくは、条件式１．１３≦(Ｒ９＋Ｒ１０)／(Ｒ９−Ｒ１０)≦１．９１を満たす。
【００５３】
第５レンズＬ５の軸上厚みをｄ９、撮像光学レンズ１０の光学長をＴＴＬとして定義すると、条件式０．０６≦ｄ９／ＴＴＬ≦０．２４を満たす。条件式の範囲内では、極薄化を図ることに有利である。好ましくは、条件式０．１０≦ｄ９／ＴＴＬ≦０．１９を満たす。
【００５４】
本実施形態において、第６レンズＬ６は、その物体側面が近軸において凸面であり、その像側面が近軸において凹面である。
【００５５】
撮像光学レンズ１０全体の焦点距離をｆ、第６レンズＬ６の焦点距離をｆ６として定義すると、条件式−２．４３≦ｆ６／ｆ≦−０．６４を満たす。屈折力の合理的な配分により、システムが優れた結像品質及び低い感度を有する。好ましくは、条件式−１．５２≦ｆ６／ｆ≦−０．８１を満たす。
【００５６】
第６レンズＬ６の物体側面の曲率半径をＲ１１、第６レンズＬ６の像側面の曲率半径をＲ１２として定義すると、条件式１．０９≦(Ｒ１１＋Ｒ１２)／(Ｒ１１−Ｒ１２)≦３．６９を満たす。この条件式は、第６レンズＬ６の形状を規定するものである。条件式の範囲内では、レンズの極薄広角化が進行するにつれて、軸外画角の収差などの補正に有利である。好ましくは、条件式１．７５≦(Ｒ１１＋Ｒ１２)／(Ｒ１１−Ｒ１２)≦２．９５を満たす。
【００５７】
第６レンズＬ６の軸上厚みをｄ１１、撮像光学レンズ１０の光学長をＴＴＬとして定義すると、条件式０．０５≦ｄ１１／ＴＴＬ≦０．２２を満たす。条件式の範囲内では、極薄化を図ることに有利である。好ましくは、条件式０．０７≦ｄ１１／ＴＴＬ≦０．１７を満たす。
【００５８】
本実施形態において、撮像光学レンズ１０全体の焦点距離をｆ、前記第１レンズと前記第２レンズとの合成焦点距離をｆ１２として定義すると、条件式０．５７≦ｆ１２／ｆ≦１．７３を満たす。条件式の範囲内では、撮像光学レンズ１０の像面湾曲と歪曲収差を解消することができ、且つ撮像光学レンズ１０のバックフォーカスを抑えることができ、映像レンズシステム群の小型化を維持することができる。好ましくは、条件式０．９１≦ｆ１２／ｆ≦１．３８を満たす。
【００５９】
本実施形態において、撮像光学レンズ１０の光学長ＴＴＬは、７．１５ｍｍ以下であり、極薄化を図ることに有利である。好ましくは、撮像光学レンズ１０の光学長ＴＴＬは、６．８２ｍｍ以下である。
【００６０】
本実施形態において、撮像光学レンズ１０の絞り値ＦＮＯは、１．９９以下であり、大口径を有しつつ、結像性能に優れる。好ましくは、前記撮像光学レンズの絞り値ＦＮＯは、１．９５以下である。
【００６１】
このように設計すると、撮像光学レンズ１０全体の光学長ＴＴＬをできる限り短縮化可能であり、小型化の特性を維持することができる。
【００６２】
上記関係を満たすときに、撮像光学レンズ１０は、良好な光学性能を有するとともに、大口径、広角化、極薄化の設計要求を満たすことができる。当該光学レンズ１０の特性によれば、当該光学レンズ１０は、特に高画素用のＣＣＤ、ＣＭＯＳなどの撮像素子により構成された携帯電話の撮像レンズアセンブリとＷＥＢ撮像レンズに適用することができる。
【００６３】
以下、実施例を用いて、本発明に係る撮像光学レンズ１０について説明する。各実施例に記載の符号は、以下の通りである。焦点距離、軸上距離、曲率半径、軸上厚み、変曲点位置及び停留点位置の単位は、ｍｍである。
【００６４】
ＴＴＬは、光学長(第１レンズＬ１の物体側面から結像面までの軸上距離)であり、単位がｍｍである。
【００６５】
絞り値ＦＮＯは、撮像光学レンズの有効焦点距離と入射瞳径の比を指すものである。
【００６６】
好ましくは、高品質の結像需要が満足されるように、レンズの物体側面及び／又は像側面には、変曲点及び／又は停留点（Ｓｔａｔｉｏｎａｒｙ  Ｐｏｉｎｔ）が設置されてもよい。具体的な実施案について、下記の説明を参照する。
【００６７】
表１は、本発明の第１実施形態に係る撮像光学レンズ１０の設計データを示す。
【００６８】
【表１】
0006919026.tif 000002
【００６９】
ここで、各符号の意味は、以下の通りであり、
Ｓ１  ：絞り
Ｒ    ：レンズの中心での曲率半径
Ｒ１  ：第１レンズＬ１の物体側面の曲率半径
Ｒ２  ：第１レンズＬ１の像側面の曲率半径 
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１ ：第６レンズＬ６の物体側面の曲率半径
Ｒ１２ ：第６レンズＬ６の像側面の曲率半径
Ｒ１３ ：光学フィルタＧＦの物体側面の曲率半径
Ｒ１４ ：光学フィルタＧＦの像側面の曲率半径
ｄ     ：レンズの軸上厚み、又は、レンズ間の軸上距離
ｄ０   ：絞りＳ１から第１レンズＬ１の物体側面までの軸上距離
ｄ１   ：第１レンズＬ１の軸上厚み
ｄ２   ：第１レンズＬ１の像側面から第２レンズＬ２の物体側面までの軸上距離
ｄ３   ：第２レンズＬ２の軸上厚み
ｄ４   ：第２レンズＬ２の像側面から第３レンズＬ３の物体側面までの軸上距離
ｄ５   ：第３レンズＬ３の軸上厚み
ｄ６   ：第３レンズＬ３の像側面から第４レンズＬ４の物体側面までの軸上距離
ｄ７   ：第４レンズＬ４の軸上厚み
ｄ８   ：第４レンズＬ４の像側面から第５レンズＬ５の物体側面までの軸上距離
ｄ９   ：第５レンズＬ５の軸上厚み
ｄ１０ ：第５レンズＬ５の像側面から第６レンズＬ６の物体側面までの軸上距離
ｄ１１ ：第６レンズＬ６の軸上厚み
ｄ１２ ：第６レンズＬ６の像側面から光学フィルタＧＦの物体側面までの軸上距離
ｄ１３ ：光学フィルタＧＦの軸上厚み
ｄ１４ ：光学フィルタＧＦの像側面から像面までの軸上距離
ｎｄ   ：ｄ線の屈折率
ｎｄ１ ：第１レンズＬ１のｄ線の屈折率
ｎｄ２ ：第２レンズＬ２のｄ線の屈折率
ｎｄ３ ：第３レンズＬ３のｄ線の屈折率
ｎｄ４ ：第４レンズＬ４のｄ線の屈折率
ｎｄ５ ：第５レンズＬ５のｄ線の屈折率
ｎｄ６ ：第６レンズＬ６のｄ線の屈折率
ｎｄｇ ：光学フィルタＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖｇ    ：光学フィルタＧＦのアッベ数
【００７０】
表２は、本発明の第１実施形態に係る撮像光学レンズ１０における各レンズの非球面データを示す。
【００７１】
【表２】
0006919026.tif 000003
【００７２】
ここで、ｋは円錐係数であり、Ａ４、Ａ６、Ａ８、Ａ１０、Ａ１２、Ａ１４、Ａ１６、Ａ１８、Ａ２０は非球面係数である。
【００７３】
ｙ=(ｘ２／Ｒ)／{１＋[１−(ｋ＋１)(ｘ２／Ｒ２)]１／２}
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０          （４２）
ここで、ｘは、非球面曲線における点と光軸との垂直距離であり、ｙは、非球面深さ(非球面上の光軸からの距離がｘである点と、非球面の光軸上の頂点に接する接平面との両者間の垂直距離)である。
【００７４】
各レンズ面の非球面は、便宜上、上記式(４２)で示された非球面を使用している。しかしながら、本発明は、特にこの式（４２）で示された非球面多項式に限定されるものではない。
【００７５】
表３、表４は、本発明の第１実施形態に係る撮像光学レンズ１０における各レンズの変曲点及び停留点の設計データを示す。ここで、Ｐ１Ｒ１、Ｐ１Ｒ２は、それぞれ第１レンズＬ１の物体側面と像側面を示し、Ｐ２Ｒ１、Ｐ２Ｒ２は、それぞれ第２レンズＬ２の物体側面と像側面を示し、Ｐ３Ｒ１、Ｐ３Ｒ２は、それぞれ第３レンズＬ３の物体側面と像側面を示し、Ｐ４Ｒ１、Ｐ４Ｒ２は、それぞれ第４レンズＬ４の物体側面と像側面を示し、Ｐ５Ｒ１、Ｐ５Ｒ２は、それぞれ第５レンズＬ５の物体側面と像側面を示し、Ｐ６Ｒ１、Ｐ６Ｒ２は、それぞれ第６レンズＬ６の物体側面と像側面を示す。「変曲点位置」欄の対応するデータは、各レンズの表面に設置された変曲点から撮像光学レンズ１０の光軸までの垂直距離である。「停留点位置」欄の対応するデータは、各レンズの表面に設置された停留点から撮像光学レンズ１０の光軸までの垂直距離である。
【００７６】
【表３】
0006919026.tif 000004
【００７７】
【表４】
0006919026.tif 000005
【００７８】
図２、図３は、それぞれ波長６５０ｎｍ、５５５ｎｍ及び４７０ｎｍの光が第１実施形態に係る撮像光学レンズ１０を通った後の軸上色収差及び倍率色収差を示す模式図である。図４は、波長５５５ｎｍの光が第１実施形態に係る撮像光学レンズ１０を通った後の像面湾曲及び歪曲収差を示す模式図であり、図４の像面湾曲Ｓは、サジタル方向の像面湾曲であり、Ｔは、タンジェンシャル方向の像面湾曲である。
【００７９】
後の表１３は、各実施例１、２、３の諸値及び条件式で規定されたパラメータに対応する値を示す。
【００８０】
表１３に示すように、第１実施形態は、各条件式を満たす。
【００８１】
本実施形態において、前記撮像光学レンズの入射瞳径ＥＮＰＤが２．８８５ｍｍであり、全視野の像高ＩＨが４．５９５ｍｍであり、対角線方向の画角ＦＯＶが７８．６１°であり、前記撮像光学レンズ１０は、広角化及び極薄化の設計要求を満たし、その軸上、軸外色収差が十分に補正され、且つ優れた光学特性を有する。
【００８２】
（第２実施形態）
第２実施形態は、第１実施形態と基本的に同じであり、符号の意味も第１実施形態と同様であるため、相違点のみを以下に示す。
【００８３】
本実施形態において、第４レンズＬ４は、その物体側面が近軸において凸面であり、その像側面が近軸において凹面である。
【００８４】
表５は、本発明の第２実施形態に係る撮像光学レンズ２０の設計データを示す。
【００８５】
【表５】
0006919026.tif 000006
【００８６】
表６は、本発明の第２実施形態に係る撮像光学レンズ２０における各レンズの非球面データを示す。
【００８７】
【表６】
0006919026.tif 000007
【００８８】
表７、表８は、本発明の第２実施形態に係る撮像光学レンズ２０における各レンズの変曲点及び停留点の設計データを示す。
【００８９】
【表７】
0006919026.tif 000008
【００９０】
【表８】
0006919026.tif 000009
【００９１】
図６、図７は、それぞれ波長６５０ｎｍ、５５５ｎｍおよび４７０ｎｍの光が第２実施形態に係る撮像光学レンズ２０を通った後の軸上色収差及び倍率色収差を示す模式図である。図８は、波長５５５ｎｍの光が第２実施形態に係る撮像光学レンズ２０を通った後の像面湾曲及び歪曲収差を示す模式図である。
【００９２】
表１３に示すように、第２実施形態は、各条件式を満たす。
【００９３】
本実施形態において、前記撮像光学レンズの入射瞳径ＥＮＰＤは２．９２０ｍｍであり、全視野の像高ＩＨは４．５９５ｍｍであり、対角線方向の画角ＦＯＶが７８．２３°であり、前記撮像光学レンズ２０は、広角化及び極薄化の設計要求を満たし、その軸上、軸外色収差が十分に補正され、且つ優れた光学特性を有する。
【００９４】
（第３実施形態）
第３実施形態は、第１実施形態と基本的に同じであり、符号の意味も第１実施形態と同様であるため、相違点のみを以下に示す。
【００９５】
本実施形態において、第３レンズＬ３は、正の屈折力を有し、第４レンズＬ４は、負の屈折力を有する。
【００９６】
表９は、本発明の第３実施形態に係る撮像光学レンズ３０の設計データを示す。
【００９７】
【表９】
0006919026.tif 000010
【００９８】
表１０は、本発明の第３実施形態の撮像光学レンズ３０における各レンズの非球面データを示す。
【００９９】
【表１０】
0006919026.tif 000011
【０１００】
表１１、表１２は、本発明の第３実施形態の撮像光学レンズ３０における各レンズの変曲点および停留点の設計データを示す。
【０１０１】
【表１１】
0006919026.tif 000012
【０１０２】
【表１２】
0006919026.tif 000013
【０１０３】
図１０、図１１は、それぞれ波長６５０ｎｍ、５５５ｎｍおよび４７０ｎｍの光が第３実施形態の撮像光学レンズ３０を通った後の軸上色収差および倍率色収差を示す模式図である。図１２は、波長５５５ｎｍの光が第３実施形態の撮像光学レンズ３０を通った後の像面湾曲および歪曲収差を示す模式図である。
【０１０４】
以下の表１３では、上記条件式に従って本実施形態における各条件式に対応する数値が挙げられた。明らかに、本実施形態の撮像光学システムは、上記条件式を満たす。
【０１０５】
本実施形態において、前記撮像光学レンズの入射瞳径ＥＮＰＤが２．８８５ｍｍであり、全視野の像高ＩＨが４．５９５ｍｍであり、対角線方向の画角ＦＯＶが７７．４８°であり、前記撮像光学レンズ３０は、広角化及び極薄化の設計要求を満たし、その軸上、軸外色収差が十分に補正され、且つ優れた光学特性を有する。
【０１０６】
【表１３】
0006919026.tif 000014
【０１０７】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【要約】
【課題】本発明は、光学レンズ分野に関し、撮像光学レンズを提供する。
【解決手段】撮像光学レンズは、物体側から像側へ順に、第１レンズ、第２レンズ、第３レンズ、第４レンズ、第５レンズ及び第６レンズによって構成され、第１レンズの軸上厚みをｄ１、第１レンズの像側面から第２レンズの物体側面までの軸上距離をｄ２、第２レンズの軸上厚みをｄ３、第５レンズの軸上厚みをｄ９、第５レンズの像側面から第６レンズの物体側面までの軸上距離をｄ１０、第６レンズの軸上厚みをｄ１１、第５レンズの物体側面の曲率半径をＲ９、第６レンズの物体側面の曲率半径をＲ１１としたときに、条件式３．００≦（ｄ１＋ｄ２）／ｄ３≦４．００、１．５０≦（ｄ９＋ｄ１０）／ｄ１１≦３．００、−５．００≦Ｒ９／Ｒ１１≦−４．６０を満たす。本発明の撮像光学レンズは、良好な光学性能を有しつつ、大口径、広角化及び極薄化の設計要求を満たす。
【選択図】図１【図１】
0006919026.tif 000015
【図２】
0006919026.tif 000016
【図３】
0006919026.tif 000017
【図４】
0006919026.tif 000018
【図５】
0006919026.tif 000019
【図６】
0006919026.tif 000020
【図７】
0006919026.tif 000021
【図８】
0006919026.tif 000022
【図９】
0006919026.tif 000023
【図１０】
0006919026.tif 000024
【図１１】
0006919026.tif 000025
【図１２】
0006919026.tif 000026